(57)【特許請求の範囲】
【請求項１】
筐体の上方に設けられた情報担体の投入口と、この投入口に連結して設けられるとともに情報担体が転動する通路と、この通路の側壁に設けられるとともに、投入された情報担体から送信される電波を受信する識別センサと、この識別センサに接続された識別制御回路と、この識別制御回路の出力が接続されるとともに、外部装置との通信を可能にする接続端子と、前記通路上であって前記識別センサの下流に設けられた情報担体を振り分ける情報担体ゲートと、この情報担体ゲートの一方の下流に設けられた情報担体を振り分ける振り分けゲートと、この振り分けゲートの一方の下流に設けられた第１の情報担体の流出口と、前記振り分けゲートの他方の下流に設けられた第２の情報担体の流出口と、前記情報担体ゲートの他方の下流に設けられた情報担体の返却口と、前記投入口と識別センサとの間の通路側面に設けられた情報担体の投入検知センサと、前記情報担体ゲートの下流であって前記振り分けゲートの上流に設けられた出口情報センサとを備え、前記投入口から投入された情報担体内の情報を前記識別センサで受信し、この識別センサに接続された前記識別制御回路からの出力信号に基づいて、前記情報担体ゲートを制御して前記情報担体の流出口を決定するとともに前記情報担体内から取り出された情報と前記識別制御回路内に予め記憶された判定情報に基づいて識別された判定結果情報を外部装置に出力する情報担体選別装置において、情報担体は硬貨形状に形成されるとともに、この情報担体には流通硬貨の代替として課金を実現するための内部情報が記憶され、識別センサは、巻き線状のアンテナとするとともに、通路の情報担体転動面と略平行に敷設され、前記アンテナの長さは前記通路の長さと略同等の長さとした情報担体選別装置。
【請求項２】
入口と情報担体ゲート間の通路上に情報担体の係止手段を設け、この係止手段は情報担体ゲートの制御に連結して動作する請求項１記載の情報担体選別装置。
【請求項３】
接続端子から識別制御回路内部の識別制御情報を設定可能にした請求項１記載の情報担体選別装置。
【請求項４】
係止手段の下流であって情報担体ゲートの上流に、位置検出センサを設け、位置検出センサの出力で情報担体ゲートを動作させる請求項１記載の情報担体選別装置。
【請求項５】
情報担体ゲート及び振り分けゲートを構成するゲート部分を本体部から脱着可能な構成とした請求項１に記載の情報担体選別装置。
【発明の詳細な説明】
【０００１】
【発明の属する技術分野】
本発明は、従来の硬貨に代わる課金システムを実現する情報担体選別装置に関するものである。
【０００２】
【従来の技術】
以下、従来の硬貨による課金システムの一例について説明する。
【０００３】
従来の硬貨による課金システムは、図４に示すように、例えば施設ゲーム機４０の本体に接続して設けられた硬貨識別装置４１に硬貨を投入し、その投入金額が予めこのゲーム機４０の遊技料として定められた金額に達すると遊技が可能となるものであって、この遊技料は一般的に１金種の硬貨を１枚ないし複数枚投入して遊技ができる様に設定されていた。このような施設ゲーム機が複数台設置されているゲームセンター等では、売上金の回収のために個々の施設ゲーム機の硬貨選別装置の下流に設けられた金庫内に収納されている遊技料を個別に回収して運用していた。
【０００４】
【発明が解決しようとする課題】
しかしながら、このような従来の構成では、売上金の回収作業にはそのゲームセンターの経営に携わる者またはこれに準ずる者が行うことが金銭の保全上一般的であり、ゲームセンターにアルバイトの労働者を雇用していても、これらの者に回収業務をさせることはなかった。
【０００５】
そこで本発明は、このような問題点を解決するもので、流通硬貨を用いることなく、誰でも安心して回収業務ができる情報担体選別装置を提供することを目的としたものである。
【０００６】
【課題を解決するための手段】
この目的を達成するために本発明の情報担体選別装置は、筐体の上方に設けられた情報担体の投入口と、この投入口に連結して設けられるとともに情報担体が転動する通路と、この通路の側壁に設けられるとともに、投入された情報担体から送信される電波を受信する識別センサと、この識別センサに接続された識別制御回路と、この識別制御回路の出力が接続されるとともに、外部装置との通信を可能にする接続端子と、前記通路上であって前記識別センサの下流に設けられた情報担体を振り分ける情報担体ゲートと、この情報担体ゲートの一方の下流に設けられた情報担体を振り分ける振り分けゲートと、この振り分けゲートの一方の下流に設けられた第１の情報担体の流出口と、前記振り分けゲートの他方の下流に設けられた第２の情報担体の流出口と、前記情報担体ゲートの他方の下流に設けられた情報担体の返却口と、前記投入口と識別センサとの間の通路側面に設けられた情報担体の投入検知センサと、前記情報担体ゲートの下流であって前記振り分けゲートの上流に設けられた出口情報センサとを備え、前記投入口から投入された情報担体内の情報を前記識別センサで受信し、この識別センサに接続された前記識別制御回路からの出力信号に基づいて、前記情報担体ゲートを制御して前記情報担体の流出口を決定するとともに前記情報担体内から取り出された情報と前記識別制御回路内に予め記憶された判定情報に基づいて識別された判定結果情報を外部装置に出力する情報担体選別装置において、情報担体は硬貨形状に形成されるとともに、この情報担体には流通硬貨の代替として課金を実現するための内部情報が記憶され、識別センサは、巻き線状のアンテナとするとともに、通路の情報担体転動面と略平行に敷設され、前記アンテナの長さは前記通路の長さと略同等の長さとしたものである。
【０００７】
この構成により、情報担体内の情報の照合で外部装置の制御が可能になるので流通硬貨以外を用いて課金システムが実現できる。
【０００８】
【発明の実施の形態】
本発明の請求項１に記載の発明は、筐体の上方に設けられた情報担体の投入口と、この投入口に連結して設けられるとともに情報担体が転動する通路と、この通路の側壁に設けられるとともに、投入された情報担体から送信される電波を受信する識別センサと、この識別センサに接続された識別制御回路と、この識別制御回路の出力が接続されるとともに、外部装置との通信を可能にする接続端子と、前記通路上であって前記識別センサの下流に設けられた情報担体を振り分ける情報担体ゲートと、この情報担体ゲートの一方の下流に設けられた情報担体を振り分ける振り分けゲートと、この振り分けゲートの一方の下流に設けられた第１の情報担体の流出口と、前記振り分けゲートの他方の下流に設けられた第２の情報担体の流出口と、前記情報担体ゲートの他方の下流に設けられた情報担体の返却口と、前記投入口と識別センサとの間の通路側面に設けられた情報担体の投入検知センサと、前記情報担体ゲートの下流であって前記振り分けゲートの上流に設けられた出口情報センサとを備え、前記投入口から投入された情報担体内の情報を前記識別センサで受信し、この識別センサに接続された前記識別制御回路からの出力信号に基づいて、前記情報担体ゲートを制御して前記情報担体の流出口を決定するとともに前記情報担体内から取り出された情報と前記識別制御回路内に予め記憶された判定情報に基づいて識別された判定結果情報を外部装置に出力する情報担体選別装置において、情報担体は硬貨形状に形成されるとともに、この情報担体には流通硬貨の代替として課金を実現するための内部情報が記憶され、識別センサは、巻き線状のアンテナとするとともに、通路の情報担体転動面と略平行に敷設され、前記アンテナの長さは前記通路の長さと略同等の長さとした情報担体選別装置としたものであり、投入口に投入された情報担体が本装置内で下流に向かって自然落下している間に識別センサで内部情報が取得され、識別制御回路でその情報が照合されて、その情報に基づいて情報担体ゲートが制御され、さらにその判定結果情報が外部装置に出力できるので、流通硬貨を用いることなく、誰でも安心して回路業務ができる。
【０００９】
また、消費税等の税率が上昇すると、事実上ゲームの遊技料を下げることとなり経営的に負担となっていたが、本装置では流通硬貨を用いることのない、情報担体内の情報の処理であり、こういった問題はなくなる。
【００１０】
さらに昨今、硬貨の変造や偽造が社会的に問題となっており、従来の硬貨選別装置の選別判定能力を越えた変造あるいは偽造貨が用いられることもまた経営的に負担となるものであったが、本装置では流通硬貨を用いることのない、情報担体内の情報の処理であり、こういった問題はなくなる。
【００１１】
またさらに、運用場所が全世界的に展開されるとき、施設ゲーム機本体に接続して設けられた硬貨選別装置はそれら国々の流通硬貨用のものを設置する必要があり例えば、ヨーロッパ等の隣接国が複数ある国ではその硬貨選別装置の選定にも十分な検討を要するものであった。しかしながら本装置によれば、例えば予め定められた特定情報に対して、課金情報を与えておくことによって、流通硬貨以外を用いた課金システムが実現できる。
【００１２】
そして、振り分けゲートの一方の下流に第１の情報担体の流出口を設けるとともに、他方の下流に第２の情報担体の流出口を設けたので、情報担体出口から落下してきた情報担体の内部情報に基づいて情報担体振り分けゲートを動作させることができるので、情報担体を分別して整理することができる。
【００１３】
また、投入口と識別センサとの間の通路側面に情報担体の投入検知センサを設けたので、情報担体が投入されることにより、情報が取得できる。従って、その情報以降に情報担体内のデータを取得するための制御を開始することが可能となり装置の省電力化に寄与できる。
【００１４】
さらに、情報担体ゲートの下流であって情報担体振り分けゲートの上流に出口情報センサを設けたので、この出口情報センサの出力で情報担体内部情報と装置内部情報との判定が終了し、情報担体が装置内を正常に落下したことが検知できる。従って、次に投入される情報担体に対する待機が可能になる。
【００１５】
それに加えて、巻き線状のアンテナとした請求項１記載の情報担体選別装置であって、情報担体内のデータを取得するためのアンテナが巻き線で形成されているので、変形が可能であるとともに、薄型化が可能であるので装置内の空きスペースに設けることができ、装置の小型化が図れる。
【００１６】
また識別センサを通路の情報担体転動面と略平行に敷設してあるので、情報担体が下流に向かって転動している間は、情報担体からの情報を略同一条件で取得することが可能となる。
【００１７】
そしてこのアンテナの長さが、通路の長さと略同等の長さであるので、情報担体が通路上を転動している間は、何度でも情報の取得が可能であり、複数回の情報取得動作によって得られた情報の比較照合を行うことによって、情報の誤取得を防止できる。すなわち正確な情報取得が可能になる。
【００１８】
請求項２に記載の発明は、投入口と情報担体ゲート間の通路上に情報担体の係止手段を設け、この係止手段は情報担体ゲートの制御に連結して動作する請求項１記載の情報担体選別装置であって、１個の情報担体に対する一連の処理が終了する前に連続して情報担体が投入されることを防止して、確実に情報担体内の情報を読み取り、装置制御を行うことができる。また、情報担体ゲートの動作が装置の判定終了を意味する信号となるので、１個ずつの情報担体に対する制御が確実かつ容易になる。
【００１９】
請求項３に記載の発明は、接続端子から識別制御回路内部の識別制御情報を設定可能にした請求項１記載の情報担体選別装置であって、外部に接続される装置からこの情報担体選別装置の判定情報などが設定できるので、外部装置に適合した判定情報への変更が容易になる。
【００２０】
請求項４に記載の発明は、係止手段の下流であって情報担体ゲートの上流に、位置検出センサを設け、位置検出センサの出力で情報担体ゲートを動作させる請求項１記載の情報担体選別装置であって、この位置検出センサの出力によって情報担体が装置内で情報担体ゲートに接近したことが判断できる。また、位置検出センサの出力によって情報担体ゲートを制御することができるので、情報担体ゲートに情報担体が噛み込んだり、情報担体が情報担体ゲートを通過後に動作したりするトラブルが回避できる。
【００２１】
請求項５に記載の発明は、情報担体ゲート及び情報担体振り分けゲートを構成する機構部分を本体部から脱着可能な構成とした請求項１に記載の情報担体選別装置であって、機械的劣化が起こりうる可動する機構部分を着脱可能としたので、装置のメンテナンスが容易にできる。
【００２２】
以下本発明の一実施の形態について図面を参照しながら説明する。
【００２３】
図３は、本発明の情報担体選別装置が内蔵された施設ゲーム機の構成図を示す。図３において、施設ゲーム機１１内にはゲーム制御部１２、情報担体選別装置１３、電源部１４が設けられている。
【００２４】
情報担体選別装置１３は、図１に示すように、筐体１の上方に設けられた情報担体２の投入口３と、この投入口３に連結して設けられるとともに情報担体２が転動する通路４と、この通路４の側壁に設けられるとともに、投入された情報担体２から送信される電波を受信する識別センサ５と、この識別センサ５に接続された識別制御回路６と、この識別制御回路６の出力が接続されるとともに、外部装置との通信を可能にする接続端子７と、前記通路４上であって前記識別センサ５の下流に設けられた情報担体２を振り分ける情報担体ゲート８と、この情報担体ゲート８の一方の下流に設けられた情報担体２が流出する出口９と、この情報担体ゲート８の他方の下流に設けられた情報担体２の返却口１０とを備え、前記投入口３から投入された情報担体２内の情報を前記識別センサ５で受信し、この識別センサ５に接続された前記識別制御回路６からの出力信号に基づいて、前記情報担体ゲート８を制御して前記情報担体２の流出口を決定するとともに前記情報担体２内から取り出された情報と前記識別制御回路６内に予め記憶された判定情報に基づいて識別された判定結果情報を外部装置に出力する構成としている。
【００２５】
以上のように構成された情報担体選別装置について、以下にその動作を説明する。
【００２６】
筐体１の上方に設けられた情報担体２の投入口３から、硬貨形状に形成された情報担体２が投入される。本発明の動作例に使用する情報担体２は、その形状を円板状の硬貨形状に形成することによって、装置内を転動しながら自然落下するので装置内に滞留することが防止される。また、情報担体２の通路４が蛇行していても通路４は下方に向かって形成されているので、自重で落下し、上方方向に短い装置外径の中に、長い通路４が形成でき、多くの機能を小型形状に集約することが可能となる。そしてその硬貨形状に形成された情報担体２の内部情報をそれぞれＡ・Ｂ・Ｃと記憶されたものを用いることとし、情報担体選別装置１３内部の比較照合設定情報はＡおよびＢが予め登録されているものとする。ここで投入された情報担体２は、情報担体識別センサ５で検知され、接続された識別制御回路６により、情報担体２の内部情報と予め設定されている設定情報との比較照合が行われる。投入された情報担体２内の情報がＣの場合には、情報担体ゲート８は動作せずに返却口１０から放出される。また、投入された情報担体２内の情報がＡまたはＢの場合には、情報担体ゲート８が動作してこのゲートを通過するとともに、接続端子７からゲーム機に対して動作許可に相当する信号が出力されゲーム機の動作が可能となる。さらにこの情報担体ゲート８の下流に図２に示すように情報担体振り分けゲート２０を設けている場合には、この情報担体振り分けゲート２０によりさらに振り分けられる。すなわち、内部情報がＡの情報担体２は、第１の情報担体出口２１から放出され、内部情報がＢの情報担体２は、第２の情報担体出口２２から放出されるように動作するのである。これら第１、第２の情報担体出口２１，２２の下流に個別の収納部を設けておけば同一の情報が記憶されている情報担体２が混在することなく後に回収可能となる。
【００２７】
以上のように、本実施の形態においては、投入口３から投入された情報担体２内の情報を情報担体識別センサ５で受信し接続された識別制御回路６からの出力信号に基づいて、前記情報担体ゲート８を制御して前記情報担体２の流出口を決定するとともに情報担体２内の情報と識別制御回路６内に予め定められた判定情報との判定結果情報を外部装置に出力するので、情報担体２内の情報の照合で外部装置の制御が可能になり、流通硬貨以外を用いて課金システムを実現できる情報担体選別装置が実現できる。
【００２８】
また、情報担体識別センサ５を巻き線状のアンテナとすることによって、情報担体２内のデータを取得するためのアンテナが巻き線で形成されているので、変形が可能で装置内の空きスペースに設けることができ、装置の小型化に寄与できる。
【００２９】
また、識別センサ５を通路の情報担体転動面と略平行に敷設することによって、情報担体が下流に向かって転動している間は、情報担体からの情報を略同一条件で取得することが可能となり、さらに識別センサの長さを、通路の長さと略同等の長さとすることによって、情報担体が通路上を転動している間は、何度でも情報の取得が可能であり、複数回の情報取得動作によって得られた情報の比較照合を行うことによって、情報の誤取得を防止できる。すなわち正確な情報取得が可能になる。
【００３０】
また、情報担体通路４の上流の筐体１側面に情報担体投入センサ２３を設けることによって、情報担体２が投入された情報が取得できるので、その情報以降に情報担体２内のデータ取得するための制御を行うことが可能となり装置の省電力化に寄与できる。また、情報担体投入センサ２３に、光学センサを用いた場合、光学センサは情報担体通路４から離れたところにでも設けることができるので、装置全体設計の自由度が増す。または、情報担体投入センサ２３に機構センサを用いた場合には、機構センサは安価である上、信号処理が容易であるので、低価格化に寄与できる。
【００３１】
また、投入口３と情報担体ゲート８間の通路４上に情報担体の係止手段２４を設けることによって、１個の情報担体２に対する一連の処理が終了する前に連続して情報担体２が投入されることを防止して、確実に情報担体２内の情報を読み取り、装置制御を行うことができる。
【００３２】
また、係止手段２４を、情報担体ゲート８の制御に連結して動作するように形成すると、情報担体ゲート８の動作が装置の判定終了を意味する信号となるので、１個ずつの情報担体２に対する制御が確実かつ容易になる。
【００３３】
また、接続端子７から識別制御回路６内部の識別制御情報を設定可能な構成とすることで、外部に接続された装置からこの情報担体選別装置の判定情報などが設定できるので、外部装置に適合した判定情報への変更が容易になる。
【００３４】
また、係止手段２４の下流であって情報担体ゲート８の上流に、位置検出センサ２５を設けることで、この位置検出センサ２５の出力によって情報担体２が装置内で情報担体ゲート８に接近したことが判断できるので情報担体ゲート８の制御が容易になる。この位置検出センサ２５に、光学センサを用いた場合、光学センサは情報担体通路４から離れたところにでも設けることができるので、装置全体設計の自由度が増す。またはこの位置検出センサ２５に、機構センサを用いた場合には、機構センサは安価である上、信号処理が容易であるので、低価格化に寄与できる。
【００３５】
また、位置検出センサ２５の出力で情報担体ゲート８を動作させることで、情報担体ゲート８に情報担体２が噛み込まれたり、情報担体２が情報担体ゲート８を通過後に動作したりするトラブルが回避できる。
【００３６】
また、情報担体ゲート８の下流であって情報担体振り分けゲート２０の上流に出口情報センサ２６を設けることによって、この出口情報センサ２６の出力で情報担体２内部情報と装置内部情報との判定が終了し、情報担体２が装置内を正常に落下したことが検知できるので、次に投入される情報担体２に対する待機が可能になる。この出口情報センサ２６に、光学センサを用いた場合は、光学センサは情報担体通路４から離れたところでも設けることができるので、装置全体設計の自由度が増す。またはこの出口情報センサ２６に、機構センサを用いた場合は、機構センサは安価である上、信号処理が容易であるので、低価格化に寄与できる。
【００３７】
また、情報担体ゲート８及び情報担体振り分けゲート２０を構成する機構部分を本体部から脱着可能な構成とすることで、機械的劣化が起こりうる可動する機構部分が脱着可能となるので、装置のメンテナンスが容易にできる。
【００３８】
【発明の効果】
以上のように本発明の情報担体選別装置は、筐体の上方に設けられた情報担体の投入口と、この投入口に連結して設けられるとともに情報担体が転動する通路と、この通路の側壁に設けられるとともに、投入された情報担体から送信される電波を受信する識別センサと、この識別センサに接続された識別制御回路と、この識別制御回路の出力が接続されるとともに、外部装置との通信を可能にする接続端子と、前記通路上であって前記識別センサの下流に設けられた情報担体を振り分ける情報担体ゲートと、この情報担体ゲートの一方の下流に設けられた情報担体を振り分ける振り分けゲートと、この振り分けゲートの一方の下流に設けられた第１の情報担体の流出口と、前記振り分けゲートの他方の下流に設けられた第２の情報担体の流出口と、前記情報担体ゲートの他方の下流に設けられた情報担体の返却口と、前記投入口と識別センサとの間の通路側面に設けられた情報担体の投入検知センサと、前記情報担体ゲートの下流であって前記振り分けゲートの上流に設けられた出口情報センサとを備え、前記投入口から投入された情報担体内の情報を前記識別センサで受信し、この識別センサに接続された前記識別制御回路からの出力信号に基づいて、前記情報担体ゲートを制御して前記情報担体の流出口を決定するとともに前記情報担体内から取り出された情報と前記識別制御回路内に予め記憶された判定情報に基づいて識別された判定結果情報を外部装置に出力する情報担体選別装置において、情報担体は硬貨形状に形成されるとともに、この情報担体には流通硬貨の代替として課金を実現するための内部情報が記憶され、識別センサは、巻き線状のアンテナとするとともに、通路の情報担体転動面と略平行に敷設され、前記アンテナの長さは前記通路の長さと略同等の長さとしたものであり、この構成により、投入口に投入された情報担体が本装置内で下流に向かって自然落下している間に識別センサで内部情報が取得され、識別制御回路でその情報が照合されて、その情報に基づいて情報担体ゲートが制御され、さらにその判定結果情報が外部装置に出力できるので、流通硬貨を用いることなく、誰でも安心して回収業務ができる。
【００３９】
また、消費税等の税率が上昇すると、事実上ゲームの遊技料を下げることとなり経営的に負担となっていたが、本装置では流通硬貨を用いることのない、情報担体内の情報の処理であり、こういった問題はなくなる。
【００４０】
さらに昨今、硬貨の変造や偽造が社会的に問題となっており、従来の硬貨選別装置の選別判定能力を越えた変造あるいは偽造貨が用いられることもまた経営的に負担となるものであったが、本装置は流通硬貨を用いることのない、情報担体内の情報の処理であり、こういった問題はなくなる。
【００４１】
またさらに、運用場所が全世界的に展開されるとき、施設ゲーム機本体に接続して設けられた硬貨選別装置はそれら国々の流通硬貨用のものを設置する必要があり例えば、ヨーロッパ等の隣接国が複数ある国ではその硬貨選別装置の選定にも十分な検討を要するものであった。しかしながら本装置によれば、例えば予め定められた特定情報に対して、課金情報を与えておくことによって、流通硬貨以外を用いた課金システムが実現できる。
【００４２】
そして、振り分けゲートの一方の下流に第１の情報担体の流出口を設けるとともに、他方の下流に第２の情報担体の流出口を設けたので、情報担体出口から落下してきた情報担体の内部情報に基づいて情報担体振り分けゲートを動作させることができるので、情報担体を分別して整理することができる。
【００４３】
また、投入口と識別センサとの間の通路側面に情報担体の投入検知センサを設けたので、情報担体が投入されることにより、情報が取得できる。従って、その情報以降に情報担体内のデータを取得するための制御を開始することが可能となり装置の省電力化に寄与できる。
【００４４】
さらに、情報担体ゲートの下流であって情報担体振り分けゲートの上流に出口情報センサを設けたので、この出口情報センサの出力で情報担体内部情報と装置内部情報との判定が終了し、情報担体が装置内を正常に落下したことが検知できる。従って、次に投入される情報担体に対する待機が可能になる。
【００４５】
それに加えて、巻き線状のアンテナとした請求項１記載の情報担体選別装置であって、情報担体内のデータを取得するためのアンテナが巻き線で形成されているので、変形が可能であるとともに、薄型化が可能であるので装置内の空きスペースに設けることができ、装置の小型化が図れる。
【００４６】
また識別センサを通路の情報担体転動面と略平行に敷設してあるので、情報担体が下流に向かって転動している間は、情報担体からの情報を略同一条件で取得することが可能となる。
【００４７】
そしてこのアンテナの長さが、通路の長さと略同等の長さであるので、情報担体が通路上を転動している間は、何度でも情報の取得が可能であり、複数回の情報取得動作によって得られた情報の比較照合を行うことによって、情報の誤取得を防止できる。すなわち正確な情報取得が可能になる。
【図面の簡単な説明】
【図１】  本発明の一実施の形態における情報担体選別装置の正面図
【図２】  本発明の一実施の形態における情報担体選別装置の他の正面図
【図３】  本発明の一実施の形態における情報担体選別装置が取り付けられた施設ゲーム機のブロック図
【図４】  従来例における施設ゲーム機の構成図
【符号の説明】
１  筐体
２  情報担体
３  投入口
４  通路
５  識別センサ
６  識別制御回路
７  接続端子
８  情報担体ゲート
９  出口
１０  返却口
【図１】
0004013317.tif 000002
【図２】
0004013317.tif 000003
【図３】
0004013317.tif 000004
【図４】
0004013317.tif 000005